(57)【特許請求の範囲】
【請求項１】
ビード部に配設したリング状のビードコア間に、少なくとも一枚のカーカスプライをトロイダルに延在させるとともに、カーカスプライのそれぞれの側部部分を、横断面形状が六角形以上の多角形をなすビードコアの周りで、その周面に沿わせてタイヤ幅方向の内側から外側にまたは、外側から内側に向けて巻き回した空気入りタイヤにおいて、
前記巻き回し部でのカーカスコードの、ビードベース側に向くビードコア表面上での延在部分の、ビードコア中心軸線に対する鋭角側の傾き角αを、
６２°≦α≦８０°
の範囲とし、カーカスコードの、ビードベース側に向くビードコア表面に対して、カーカスプライの巻き回し方向前方側に一の表面を隔てた離隔表面上での延在部分の、ビードコア中心軸線に対する鋭角側の傾き角βと、前記鋭角側の傾き角αとの差を、
｜α−β｜≦１８°
とし、
前記カーカスコードのリング状ビードコアの周りでの両延在部分のそれぞれの、カーカスプライの巻き回し方向前方側に向かう延在方向を、ビードコアの横断面に対して相互に逆としてなる空気入りタイヤ。
【請求項２】
巻き回し部に、ビードコアの隅部と対応して位置する三個所以上の折曲げ加工部を設けてなる請求項１に記載の空気入りタイヤ。
【請求項３】
ビードコアの周りに、カーカスプライに外接させてワイヤチェーファを配設してなる請求項１もしくは２に記載の空気入りタイヤ。
【請求項４】
カーカスプライの巻き回し部の外周側からサイドウォール部にかけてビードフィラを配設してなる請求項１〜３のいずれかに記載の空気入りタイヤ。
【発明の詳細な説明】
【０００１】
【発明の属する技術分野】
この発明は空気入りタイヤ、とくに、タイヤビード部に配設したビードコアの周りに巻き回したカーカスプライ側部部分を、タイヤ半径方向外方へ大きく巻上げて固定することに起因する、その巻上げ端のセパレーションを防止するとともに、カーカスコードの引き抜けをもまた十分に防止するビード部構造に関するものである。
【０００２】
【従来の技術】
一般的な空気入りタイヤ、たとえば重荷重用空気入りラジアルタイヤでは、タイヤの負荷転動に際するカーカスコードの引き抜けを防止すべく、カーカスプライの側部部分を、ビードコアの周りで、タイヤ半径方向の内側から外側に向けて高く巻上げて固定することとしているも、これによれば、カーカスプライの巻上げ端へのセパレーションの発生が否めないことから、近年は、特開平１１−３２１２４４号公報に開示されているように、カーカスに、ビードコアの周りに実質的に一周巻回され、かつその端部がビードコアの周りで終端する巻き付け部を有する巻き付けカーカスプライを含めることで、タイヤを軽量化しつつ、ビード部耐久性を向上させる技術が提案されている。
【０００３】
【発明が解決しようとする課題】
しかるに、この提案技術は、前記巻き付け部のカーカスコードの、ビードコアの外周面を通る部分と、ビードコア内周面を通る部分との相対関係につき、ビードコアの外周面を通る部分のタイヤ周方向線となす角度θ１を３０°〜９０°とするとともに、ビードコアの内周面を通る部分のタイヤ周方向線となす角度θ２を３０°〜９０°として、これらの角度θ１，θ２が９０°より小さい場合には、ビードコアの外周面および内周面のそれぞれを通る部分を互いに交差する向きに配することとするものであり、かかる配置の下では、図４に示すように、カーカスコード３１のビードコア３２の外周面を通る部分３１ａとそれの内周面を通る部分３１ｂとのそれぞれが相互に異なった方向に延在することになり、それらの延在部分、なかでもとくに部分３１ａは、カーカスコード３１のラジアル方向に延びる本体部分に対して周方向の延在角度を大きく異にするため、製品タイヤにおけるカーカスコード３１への張力の作用による、そのカーカスコード３１の真直化傾向の下で、巻き付け部に生じる周方向の変形ないしは変位が大きくなり、この結果としてプライ端での周方向歪が増加し、しかも、カーカスコード３１に作用する張力が、その全長にわたって均等に分散されずに局部的な応力集中を生じ易く、タイヤの転動による繰り返しの応力集中によって、コード３１の疲労破断のおそれが高くなる等により、タイヤビード部の、耐久性の実質的な向上をもたらし得ないという問題があった。
【０００４】
この発明は、上記提案技術が抱えるこのような問題点を解決することを問題とするものであり、それの目的とするところは、カーカスコードの、ビードコアとの接触長さをできるだけ長くして、カーカスコードの耐引き抜け性を十分に高めることを前提に、そのカーカスコードの、上述したような大きな角度変化に起因する周方向の変形ないしは変位の発生を十分に防止するとともに、カーカスコードへの張力の作用による応力の集中を有効に防止することで、ビード部耐久性を大きく向上させた空気入りタイヤを提供するにある。
【０００５】
【課題を解決するための手段】
この発明の空気入りタイヤは、ビード部に配設したリング状のビードコア間に、少なくとも一枚のカーカスプライをトロイダルに延在させるとともに、カーカスプライのそれぞれの側部部分を、横断面形状が六角形以上の多角形をなすビードコアの周りで、その周面に沿わせてタイヤ幅方向の内側から外側にまたは、外側から内側に向けて巻き回し、巻き回し部でのカーカスコードの、ビードベース側に向くビードコア表面上での延在部分の、ビードコア中心軸線に対する鋭角側の傾き角αを、６２°≦α≦８０°の範囲とし、カーカスコードの、ビードベース側に向くビードコア表面に対して、カーカスプライの巻き回し方向前方側に一の表面を隔てた離隔表面上での延在部分の、ビードコア中心軸線に対する鋭角側の傾き角βと、上記鋭角側の傾き角αとの差を、｜α−β｜≦１８°とし、前記カーカスコードのリング状ビードコアの周りでの両延在部分のそれぞれの、カーカスプライの巻き回し方向前方側に向かう延在方向を、ビードコアの横断面に対して相互に逆とする。
【０００６】
このタイヤでは、カーカスプライの側部部分をビードコアの周りに巻き回して、その側部部分から、半径方向外方への高い巻上げ部を取り除くことにより、カーカスプライ巻上げ端へのセパレーションの発生、ひいては、そのセパレーションに原因をおく、ビード部クラックの発生および成長を有効に防止できることはもちろん、巻き回し部でのカーカスコードの、ビードベース側に向くビードコア表面上での延在部分の、ビードコア中心軸線に対する鋭角側の傾き角αを６２°以上８０°以下の範囲とすることにより、ラジアルタイヤにおけるカーカスコードの巻き回し部の、周方向の変形ないしは変位を抑制して、カーカスプライ端での歪を低減させることができる。なお、それが６０°未満では、カーカスプライ端の歪を十分に低減させることができない。
【０００７】
またこのタイヤでは、カーカスコードの、ビードベース側に向くビードコア表面に対して、カーカスプライの巻き回し方向前方側の一の表面を隔てた離隔表面上での延在部分の、ビードコア中心軸線に対する鋭角側の傾き角βと、鋭角側の傾き角αとの差を１８°以下とすることで、ビードコアの周りでの長いコードパスを確保して、カーカスコードの耐引き抜け性を十分に高めてなお、カーカスコードの延在方向の、比較的小さな角度変化の下で、カーカスコードの急激な角度変化に起因する前述したようなビード部耐久性の毀損のうれいなしに、カーカスプライ端部でのカーカスコードの延在方向を、カーカスプライ本体部分のそれに十分近づけることができ、これがため、カーカスコードの巻き回し部での周方向の変形ないしは変位を抑制して、プライ端での歪の低減を実現するとともに、カーカスコードへの局部的な応力集中を十分に防止することができる。なお、両傾き角の差が２０°より大きい範囲では、カーカスコードに張力が均等に作用せず、ビードベース側に向くビードコア表面上でのカーカスコードの延在部分と、この延在部分に対してカーカスプライの巻き回し方向前方に一の表面を隔てた離隔表面上でのカーカスコードの延在部分とのどちらかに大きな力が作用してしまい、カーカスコードを折り曲げた位置で、当該コードの破断等の不具合がある。
【０００８】
かかるタイヤでは、カーカスコードのリング状ビードコアの周りでの両延在部分のそれぞれの、カーカスプライの巻き回し方向前方側に向かう延在方向を、ビードコアの横断面に対して相互に逆としたことにより、カーカスプライの巻き付け部に生じる周方向の変形ないしは変位を防止して、タイヤビード部の耐久性の実質的な向上をもたらす。すなわち、カーカスコードの上記両延在部分のそれぞれの、ビードコアの横断面に対する延在方向を相互に逆としなければ、カーカスプライの巻き付け部に、周方向の変形ないしは変位が生じ、これら変形等によってプライ端での周方向歪が増加するところ、この状況下でタイヤの転動により応力集中が繰り返し作用した場合には、カーカスコードの疲労破断のおそれが高まり、タイヤビード部の、耐久性の実質的な向上を実現できない。
【０００９】
またここで、巻き回し部に、ビードコアの隅部と対応して位置する三個所以上の折曲げ加工部を設けた場合には、カーカスコードをビードコアの外輪郭に正確に沿わせて巻き回すことができるとともに、カーカスコードのスプリングバックを有利に防止して、カーカスコードの引き抜け等をより効果的に防止することができる。
【００１０】
そして、ビードコアの周りに、カーカスプライに外接させてワイヤチェーファを配設する場合には、荷重時の、カーカスコードの変形を抑制して、カーカスコードの耐久性を向上させることができる。
【００１１】
加えて、カーカスプライの巻き回し部の外周側からサイドウォール部にかけてビードフィラを配設する場合には、そのビードフィラで上記巻き回し部を押え込んで、その巻き回し部の不測の弛みを有効に防止することができる。
【００１２】
【発明の実施の形態】
以下にこの発明の実施の形態を図面に示すところに基づいて説明する。
図１は、重荷重用空気入りラジアルタイヤについての実施の形態を、リム組みタイヤに空気圧を充填した姿勢で示す要部横断面であり、図中１はトレッド部を、２は、トレッド部１の側部から半径方向内方へ延びるサイドウォール部を、そして３は、サイドウォール部２の内周側に連続させて設けたビード部をそれぞれ示す。
【００１３】
ここでは、各ビード部３に、全体としてリング状をなし、図では横断面形状がほぼ六角形状をなすビードコア４を埋め込み配置し、両ビードコア４間に少なくとも一枚のカーカスプライ５をトロイダルに延在させるとともに、カーカスプライ５の側部部分６をビードコア４の周りに巻き回して、そのビードコア４の周面に沿わせて延在させるとともに、ビードコア４の周りにて終了させ、これにより、カーカスプライ５の側部部分６から、半径方向外方への高い巻上げ部を取り除く。
【００１４】
なお図１に示すところでは、カーカスプライ側部部分６のこのような巻き回しを、タイヤ幅方向の内側から外側に向けて行っているも、その巻き回しを、図２に示すように、タイヤ幅方向の外側から内側に向けて行うこともできる。
【００１５】
このように形成してなる巻き回し部７は、側部部分６、ひいては、カーカスプライ５の、ビードコア４への十分強固な固定を実現することができ、このことは、たとえば、巻き回し部７の、ビードコア４の隅部と対応する少なくとも一個所に、そのビードコア４に巻き付く向きの折曲げ加工部ｂ１，ｂ２，ｂ３を設けて、巻き回し部７の巻き付き姿勢の確実なる維持を担保した場合にとくに有効である。
【００１６】
ところで、図１および２に示すところにおいて、８は、ビードコア４の周りで、カーカスプライ５に外接させて配置したワイヤチェーファを、９は、巻き回し部７の外周側からサイドウォール部２にかけて配設されて、その巻き回し部７を半径方向に拘束するビードフィラをそれぞれ示し、またＲは、タイヤに組付けたリムを示す。
【００１７】
そしてまた、このタイヤでは、図３に一例を示すように、側部部分６に設けた巻き回し部７で、カーカスプライ５を構成するカーカスコード１０の、リング状ビードコア４のビードベース３ａ側に向く表面４ａ上での延在部分１０ａの、ビードコア中心軸線Ｃに対する鋭角側の傾き角αを６２°以上８０°以下の範囲とし、また、カーカスコード１０の、ビードベース３ａ側に向くビードコア表面４ａに対して、カーカスプライ５の巻き回し方向前方側の一の表面４ｂを隔てた離隔表面４ｃ上での延在部分１０ｃの、ビードコア中心軸線Ｃに対する鋭角側の傾き角βと、上記鋭角側の傾き角αとの差を１８°以下の範囲とする。
【００１８】
なお、カーカスコード１０の本体部分の、ビードコア中心軸線Ｃに対する鋭角側の傾き角を７０°〜９０°とするとともに、図３（ｂ）に実線または鎖線で示す如く、カーカスコード１０のリング状ビードコア４の周りでの両延在部分１０ａ，１０ｃのそれぞれの、ビードコア４の横断面に対する延在方向を相互に逆とする。
【００１９】
以上のように構成してなるタイヤによれば、カーカスコード１０の、巻き回し部７での周方向の角度変化を少なくして、カーカスプライ端部でのカーカスコード１０の延在方向を、カーカスプライ本体部分のそれに揃えることができ、これがため、カーカスコード１０への張力の作用による、その巻き回し部７の、周方向での変形ないしは変位を抑制してビード部３の耐久性を有効に向上させることができる。以上、この発明の実施の形態を図面に示すところに基づいて説明したが、ビードコア４の横断面形状は、六角形以上の多角形とすることができる。
【００２０】
【実施例】
以下に、実施例タイヤと、従来タイヤと、比較タイヤとのそれぞれのビード部耐久試験について述べる。
ここでビード部耐久性は、サイズが３１５／６０  Ｒ２２．５の重荷重用ラジアルタイヤにあって、図１および図３に示すビード部構造を有する実施例タイヤ１〜４および比較タイヤ１，２ならびに、図５に示すビード部構造を有する従来タイヤのそれぞれに、９．００×２２．５のリムを組付けるとともに、充填空気圧を９００ｋＰａとしたところにおいて、最大負荷能力の１８５％に相当する負荷を作用させたドラム走行試験で、速度を６０ｋｍ／ｈとし、ビード部故障（カーカスプライ端またはワイヤチェーファ端のセパレーション等）によって走行不能になるまでの走行距離を測定することにより求め、従来タイヤをコントロールとして指数評価した。
【００２１】
その結果を表１に示す。
なお指数値は大きいほどすぐれた結果を示すものとした。
【表１】
0004855562.tif 000002
【００２２】
表１によれば、実施例タイヤはいずれも、従来タイヤおよび比較タイヤのそれぞれに比して、ビード部耐久性を大きく向上させ得ることが解る。
【００２３】
【発明の効果】
かくしてこの発明によれば、とくに、巻き回し部でのカーカスコードの、ビードベース側に向くビードコア表面上での延在部分の、ビードコア中心軸線に対する鋭角側の傾き角αを６２°以上８０°以下の範囲とし、カーカスコードの、ビードベース側に向くビードコア表面に対して、カーカスプライの巻き回し方向前方側に一の表面を隔てた離隔表面上での延在部分の、ビードコア中心軸線に対する鋭角側の傾き角βと、上記鋭角側の傾き角αとの差を１８°以下とし、さらに、前記カーカスコードの両延在部分のそれぞれの、ビードコアの横断面に対する延在方向を相互に逆とすることにより、タイヤビード部の耐久性を大きく向上させることができる。
【図面の簡単な説明】
【図１】  この発明の実施形態を示す要部横断面図である。
【図２】  この発明の他の実施形態を示す要部横断面図である。
【図３】  カーカスプライの側部部分の巻き回し部でのカーカスコードの延在態様を例示する説明図である。
【図４】  提案技術におけるカーカスコードの延在態様を示す図である。
【図５】  従来タイヤのビード部構造を示す横断面図である。
１  トレッド部
２  サイドウォール部
３  ビード部
３ａ  ビードベース
４  ビードコア
４ａ，４ｂ，４ｃ  ビードコア表面
５  カーカスプライ
６  側部部分
７  巻き回し部
８  ワイヤチェーファ
９  ビードフィラ
１０  カーカスコード
１０ａ，１０ｃ  カーカスコードの延在部分
α，β  鋭角側の傾き角
Ｃ  ビードコア中心軸線
ｂ１，ｂ２，ｂ３  折曲げ加工部
【図１】
0004855562.tif 000003
【図２】
0004855562.tif 000004
【図３】
0004855562.tif 000005
【図４】
0004855562.tif 000006
【図５】
0004855562.tif 000007